(57)【要約】  少なくとも１つのアクセスノードと、前記アクセスノードに接続されるＤＨＣＰ（Ｄｙｎａｍｉｃ  Ｈｏｓｔ  Ｃｏｎｆｉｇｕｒａｔｉｏｎ  Ｐｒｏｔｏｃｏｌ）サーバと、前記アクセスノードに接続されるネットワーク付属ストレージ（ＮＡＳ）と、前記アクセスノードに接続される共通提供システム（ＣＰＳ）とを有するアクセスネットワークであって、前記アクセスノードは、初期的なネットワーク接続と初期的なスタートアップ設定について実質的に自動的に設定されるアクセスネットワークが含まれる。また、手動による処理なしにベーストランシーバステーション（ＢＴＳ）のネットワーク接続を開始するステップと、手動による処理なしに前記ＢＴＳのスタートアップ設定を開始するステップとを有するタッチレス導入方法が含まれる。
2011515921.tif 000002
【特許請求の範囲】
【請求項１】
少なくとも１つのアクセスノードと、
前記アクセスノードに接続されるＤＨＣＰ（Ｄｙｎａｍｉｃ  Ｈｏｓｔ  Ｃｏｎｆｉｇｕｒａｔｉｏｎ  Ｐｒｏｔｏｃｏｌ）サーバと、
前記アクセスノードに接続されるネットワーク付属ストレージ（ＮＡＳ）と、
前記アクセスノードに接続される共通提供システム（ＣＰＳ）と、
を有するアクセスネットワークであって、
前記アクセスノードは、初期的なネットワーク接続と初期的なスタートアップ設定について実質的に自動的に設定されるアクセスネットワーク。
【請求項２】
前記アクセスノードに接続されるソフトウェア配布サイト（ＳＤＳ）をさらに有する、請求項１記載のアクセスネットワーク。
【請求項３】
前記アクセスノードは、現場に固有の修正とＮＥＭ管理とについて実質的に自動的に設定される、請求項１記載のアクセスネットワーク。
【請求項４】
前記アクセスノードは、マッチキーに基づき近傍のアクセスノードと同様に設定される、請求項１記載のアクセスネットワーク。
【請求項５】
前記アクセスノードは、ベーストランシーバステーション（ＢＴＳ）である、請求項１記載のアクセスネットワーク。
【請求項６】
前記アクセスノードは、固定的な地理的位置に配置される、請求項１記載のアクセスネットワーク。
【請求項７】
前記ＤＨＣＰサーバ、前記ＮＡＳ、前記ＮＥＭ及び前記ＣＰＳの少なくとも一部は、当該アクセスネットワークにおいて組み合わされる、請求項１記載のアクセスネットワーク。
【請求項８】
前記アクセスノード、前記ＤＨＣＰサーバ、前記ＮＡＳ、前記ＮＥＭ及び前記ＣＰＳは、確立されたバーチャルローカルエリアネットワーク（ＶＬＡＮ）を介し互いに通信する、請求項１記載のアクセスネットワーク。
【請求項９】
手動による処理なしにベーストランシーバステーション（ＢＴＳ）のネットワーク接続を開始するステップと、
手動による処理なしに前記ＢＴＳのスタートアップ設定を開始するステップと、
を有するタッチレス導入方法。
【請求項１０】
前記ネットワーク接続を開始するステップは、ＤＨＣＰ（Ｄｙｎａｍｉｃ  Ｈｏｓｔ  Ｃｏｎｆｉｇｕｒａｔｉｏｎ  Ｐｒｏｔｏｃｏｌ）サーバから動的に割り当てられたＩＰアドレスを取得することからなる、請求項９記載のタッチレス導入方法。
【請求項１１】
ＤＨＣＰ  ＩＰアドレスの割当てが提供されないとき、ＢＴＳ識別子は手動により提供される、請求項９記載のタッチレス導入方法。
【請求項１２】
前記ネットワーク接続を開始するステップは、ネットワーク付属ストレージ（ＮＡＳ）からストップポイントプロファイル又はタッチレスプロファイルを取得し、前記ＮＡＳからのマッチキーに基づき前記ＢＴＳについて最適化された又はデフォルト設定を取得し、前記ＮＡＳから前記ＢＴＳのスタートアップ設定を取得することからなる、請求項９記載のタッチレス導入方法。
【請求項１３】
手動による処理なしに前記ＢＴＳの現場に固有の修正を実現するステップと、
手動による処理なしにネットワーク要素マネージャ（ＮＥＭ）管理を有効にするステップと、
をさらに有する、請求項９記載のタッチレス導入方法。
【請求項１４】
前記現場に固有の修正を実現するステップは、前記ＮＥＭ及び共通提供システム（ＣＰＳ）を用いて前記ＢＴＳについて現場に固有の情報を修正し、ソフトウェア配布サイト（ＳＤＳ）からソフトウェアをダウンロード及びアップグレードすることからなる、請求項１３記載のタッチレス導入方法。
【請求項１５】
前記ＮＥＭ管理を有効にするステップは、前記ＮＥＭにより前記ＢＴＳを認証し、前記ＥＮＢを前記ＮＥＭに登録し、前記ＮＥＭにおいてインベントリを更新することからなる、請求項１３記載のタッチレス導入方法。
【請求項１６】
ベーストランシーバステーション（ＢＴＳ）とネットワークとを接続するステップと、
前記ＢＴＳと前記ネットワークの少なくとも１つの設定サーバとの間の通信を確立するステップと、
前記ＢＴＳ又は前記設定サーバが前記ＢＴＳの自動的なセットアップを完了させるため設定情報を必要とするとき、前記ネットワークのレポジトリにアクセスするステップと、
を有する方法。
【請求項１７】
前記設定サーバは、ＤＨＣＰ（Ｄｙｎａｍｉｃ  Ｈｏｓｔ  Ｃｏｎｆｉｇｕｒａｔｉｏｎ  Ｐｒｏｔｏｃｏｌ）サーバであり、
前記ＢＴＳと前記ＤＨＣＰサーバとの間の通信は、ＯＡＭ（Ｏｐｅｒａｔｉｏｎｓ，Ａｄｍｉｎｉｓｔｒａｔｉｏｎ，ａｎｄ  Ｍａｉｎｔｅｎａｎｃｅ）ＤＨＣＰを用いて確立される、請求項１６記載の方法。
【請求項１８】
前記設定サーバは、ネットワーク付属ストレージ（ＮＡＳ）である、請求項１６記載の方法。
【請求項１９】
前記設定情報は、前記ＢＴＳの自動的なセットアップが完了すると、前記ＮＡＳにバックアップされる、請求項１８記載の方法。
【請求項２０】
前記設定サーバは、ネットワーク要素マネージャ（ＮＥＭ）であり、
前記ＢＴＳと前記ＮＥＭとの間の通信は、セキュアシェル（ｓｓｈ）又はインターネットプロトコルセキュリティ（ＩＰｓｅｃ）プロトコルを用いて確立される、請求項１６記載の方法。
【発明の詳細な説明】
【技術分野】
【０００１】
本発明は、タッチレスプラグアンドプレイベーストランシーバステーションに関する。
【背景技術】
【０００２】
無線セルラ通信システムでは、ベーストランシーバステーション（ＢＴＳ）などの送信及び／又は受信システムが、信号の無線範囲により決定されるセルと呼ばれる地理的範囲全体に信号を送信する。このようなシステムは、典型的には、３ＧＰＰ（Ｔｈｉｒｄ  Ｇｅｎｅｒａｔｉｏｎ  Ｐａｒｔｉｎｅｒｓｈｉｐ  Ｐｒｏｊｅｃｔ）及び３ＧＰＰ２などの有力な規格団体により公表された規格に準拠して構成される。３ＧＰＰのＬＴＥ（Ｌｏｎｇ  Ｔｅｒｍ  Ｅｖｏｌｕｔｉｏｎ）などのより先進的なネットワークアクセス規格が、改良された及び／又は新規なサービスを提供するため近年導入されてきている。通信の分野ではよく理解されているように、既存の及び先進的なネットワークの導入は、訓練を受けた技術者又はエンジニアにより実行される一部のシステムについて“エンハンストノードＢ（ＥＮＢ）”とも呼ばれるＢＴＳの複雑な手作業による設定を伴う。このようなステップは、パーソナルコンピュータ（ＰＣ）を各ＢＴＳの装備ポートに接続し、ある程度の専門性と最新のツールセットを要するＢＴＳ設定パラメータを設定するためのツールを起動させ、ＰＣを設定パラメータにより予めロードすることを含むかもしれない。あるいは、この導入は、専用のソフトウェアとハードウェアとを必要とする設定サーバを用いて実現可能である。この現在の導入ストラテジは、限定的な個数の装置しか配備されないときは許容できるコストしか生じない。しかしながら、このような装置の需要が大きな（又は人口密度の高い）地理的エリアにサポートするためスケールアップされるに従って、上記導入に係るコストはネットワークオペレータにとって負担となり、ＢＴＳの配置のタイミング及び／又は程度に負の影響を及ぼしうる。
【発明の概要】
【０００３】
一実施例では、本開示は、少なくとも１つのアクセスノードと、アクセスノードに接続されるＤＨＣＰ（Ｄｙｎａｍｉｃ  Ｈｏｓｔ  Ｃｏｎｆｉｇｕｒａｔｉｏｎ  Ｐｒｏｔｏｃｏｌ）サーバと、アクセスノードに接続されるネットワーク付属ストレージ（ＮＡＳ）と、アクセスノードに接続されるネットワーク要素マネージャ（ＮＥＭ）と、アクセスノードに接続される共通提供システム（ＣＰＳ）とを有するアクセスネットワークであって、アクセスノードは、初期的なネットワーク接続と初期的なスタートアップ設定とについて実質的に自動的に設定されるアクセスネットワークを含む。
【０００４】
他の実施例では、本開示は、手動による処理なしにＢＴＳ（ＥＮＢなど）のネットワーク接続を開始し、手動による処理なしにＢＴＳ（ＥＮＢなど）のスタートアップ設定を開始することを含むタッチレス導入方法を含む。
【０００５】
さらなる他の実施例では、本開示は、ＢＴＳとネットワークとを接続し、ＢＴＳとネットワークの少なくとも１つの設定サーバとの間の通信を確立し、ＢＴＳ又は設定サーバがＢＴＳの自動的なセットアップを完了させるため設定情報を必要とするときはいつでも、ネットワークのレポジトリにアクセスすることを有する方法を含む。
【０００６】
本発明の他の態様及び特徴は、添付した図面に関して本発明の具体的な実施例の以下の説明を参照することにより無線通信の当業者には明らかになるであろう。
【図面の簡単な説明】
【０００７】
【図１】図１は、本開示の実施例によるアクセスネットワークを示す。
【図２】図２は、本開示の実施例によるタッチレス導入方法のブロック図である。
【図３】図３は、本開示の実施例によるタッチレス導入通信のメッセージシーケンス図である。
【図４】図４は、本開示の実施例による汎用コンピュータシステムの実施例を示す。
【発明を実施するための形態】
【０００８】
まず始めに、本開示の一実施例の一例となる実現形態が以下で説明されるが、本システムは、現在既知の又は存在する任意数の技術を用いて実現されてもよい。本開示は、ここで図示及び説明される設計例及び実現形態を含む当該実現形態、図面及び後述される技術に限定されるものでなく、添付した請求項の範囲とそれに均等な全範囲と範囲内で修正されてもよい。
【０００９】
ここでは、訓練を受けた技術者が関与しない場合、実質的にタッチレスにＢＴＳ、ＥＮＢ又は同様のネットワークアクセスノードをインストール又は導入するためのシステム及び方法が開示される。具体的には、タッチレスアプローチは、ストレージコンポーネント又はサーバを含む複数のコンポーネントから構成されるネットワークとアクセスノードとの間のネットワーク接続を開始することを有する。ここでは、アクセスノードは、ストレージコンポーネント又はサーバから、その初期的なスタートアップ設定に利用される複数の設定パラメータをユーザからの入力がほとんど又はまったくない所定の又は自動化された方法により取得する。従って、アクセスノードは、デフォルト設定又は近傍アクセスノードの設定に基づき自動的に設定される。アクセスノードの設定は、場所に固有のパラメータに基づき自動的に修正又はアップグレードされてもよいし、及び／又はネットワークアクセスゲートウェイを介し通信を開始する前にネットワーク又はネットワークコンポーネントにより自動的に認証及び管理されてもよい。
【００１０】
配置される装置の個数が増加すると、ホーム又はローカルＢＴＳを配置するのに予想されるように、多くの具体例において現場での手作業による提供に伴う既存の導入実務はコスト効率的でなく、望ましいものでなくなる。対照的に、ここで説明されるような自動的なＢＴＳ導入は、大規模なＢＴＳネットワークの配置に係る時間、マンパワー及び実際のコストを大きく低減することが期待される。
【００１１】
図１は、本開示によるアクセスネットワーク１００の一実施例を示す。アクセスネットワーク１００は、ＬＴＥアクセスネットワークなどの無線通信ネットワークであってもよい。アクセスネットワーク１００は、少なくとも１つのアクセスノード１１０と、少なくとも１つのユーザ要素１２０と、共通提供システム（ＣＰＳ）１３０と、ＤＨＣＰサーバ１４０と、ネットワーク付属ストレージ（ＮＡＳ）１５０と、ネットワーク要素マネージャ（ＮＥＭ）１６０と、ソフトウェア配布サイト（ＳＤＳ）１７０と、マネージメントＰＣ１８０とを有する。アクセスネットワーク１００は、マルチプロトコルラベルスイッチング（ＭＰＬＳ）を含むＩＰルーティンドネットワーク、バーチャルローカルエリアネットワーク（ＶＬＡＮ）ブリッジングを含むイーサネットスイッチドネットワーク、ＩＥＥＥ８０２．１  Ｑ−ｉｎ−Ｑ  ＶＬＡＮタグ（ＱｉｎＱ）、プロバイダバックボーントランスポート（ＰＢＴ）又はプロバイダリンクステートブリッジング（ＰＬＳＢ）などの複数の通信規格又はイニシアチブの何れかに準拠するトランスポートネットワーク１９０を有する。
【００１２】
アクセスノード１１０とユーザ要素１２０とは、無線リンク１２５を介し接続され、例えば、無線送信装置などを用いて無線リンク１２５を介し通信する。一実施例では、アクセスノード１１０は、３ＧＰＰ及び３ＧＰＰ２規格などにより規定される大きな地理的エリアにおいてネットワークのセルラ通信をサポートするよう構成されるタイプのマクロＢＴＳの形態によるＢＴＳであってもよい。ＢＴＳは、アクセスネットワーク１００の特定の現場に配置され、セルなどの所定のカバレッジエリア又はパブリックエリアに無線通信又はカバレッジを提供する。あるいは、アクセスノード１１０は、ローカルサイトにあるか、又は絶えず移動するマイクロＢＴＳの形態によるものであってもよい。マイクロＢＴＳは、他のＢＴＳ又はプライベートエリアへのネットワークにより指示されるハンドオフの限定的な能力などの限定的な機能を無線通信に提供する。マイクロＢＴＳの具体例として、マクロＢＴＳと比較して相対的に小さなカバレッジエリアに無線通信を提供するホーム又はオフィスの建物内にあるフェムトセルがあげられる。３つのアクセスノード１１０が図示されるが、無線通信システム１００は、同様に又は異なって構成される任意数のアクセスノード１１０を有してもよい。さらに、アクセスノード１１０は、少なくとも１つのユーザ要素１２０又は他の何れかのネットワークコンポーネント又はネットワークに無線リンクを介し接続されてもよい。
【００１３】
無線リンクは、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）、ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  ｒａｔｅｓ  ｆｏｒ  Ｇｌｏｂａｌ  Ｅｖｏｌｕｔｉｏｎ）、ＨＳＰＡ（Ｈｉｇｈ  Ｓｐｅｅｄ  Ｐａｃｋｅｔ  Ａｃｃｅｓｓ）、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）及びＬＴＥ（Ｌｏｎｇ  Ｔｅｒｍ  Ｅｖｏｌｕｔｉｏｎ）を含む３ＧＰＰ（３ｒｄ  Ｇｅｎｅｒａｔｉｏｎ  Ｐａｒｔｎｅｒｓｈｉｐ  Ｐｒｏｊｅｃｔ）において規定されたものなどの複数の通信規格又はイニシアチブの何れかに準拠するものであってもよい。さらに又はあるいは、無線リンクは、ＩＳ−９５（Ｉｎｔｅｒｉｍ  Ｓｔａｎｄａｒｄ  ９５）、ＣＤＭＡ（Ｃｏｄｅ  Ｄｉｖｉｓｉｏｎ  Ｍｕｌｔｉｐｌｅ  Ａｃｃｅｓｓ）２０００規格１ｘＲＴＴ、１ｘＥＶ−ＤＯ又はＵＭＢ（Ｕｌｔｒａ  Ｍｏｂｉｌｅ  Ｂｒｏａｄｂａｎｄ）を含む３ＧＰＰ２（３ｒｄ  Ｇｅｎｅｒａｔｉｏｎ  Ｐａｒｔｎｅｒｓｈｉｐ  Ｐｒｏｊｅｃｔ  ２）に規定される複数の規格の何れかに準拠するものであってもよい。無線リンクはまた、ＩＥＥＥにより規定されるもの、ＷｉＭＡＸ（Ｗｏｒｌｄ  Ｉｎｔｅｒｏｐｅｒａｂｉｌｉｔｙ  ｆｏｒ  Ｍｉｃｒｏｗａｖｅ  Ａｃｃｅｓｓ）フォーラムなどの他の産業規格などの他の規格に互換するものであってもよい。
【００１４】
ユーザ要素１２０は、アクセスノード１１０の規定されたカバレッジエリア内に配置される。１つのユーザ要素１２０しか示されていないが、無線通信システム１００はまた、同様に又は異なって構成される任意数のユーザ要素１２０を有してもよい。ユーザ要素１２０は、無線技術を利用してアクセスノード１１０との間でアナログ又はデジタル信号などの信号を送受信可能な任意の装置であってもよい。ユーザ要素１２０は、ハンドセット、ＰＤＡ（Ｐｅｒｓｏｎａｌ  Ｄｉｇｉｔａｌ  Ａｓｓｉｓｔａｎｔ）、携帯電話（“移動端末”とも呼ばれる）、インターネット及び／又は電子メール機能を備えた“スマートフォン”、又はラップトップコンピュータなどの無線対応のノマディック又はローミング装置など、信号を生成、送信又は受信するよう構成されるモバイル装置であってもよい。あるいは、ユーザ要素１２０は、アクセスノード１１０とデータを送受信可能なデスクトップコンピュータ又はセットトップボックスなどの固定された装置であってもよい。
【００１５】
ＣＰＳ１３０は、プラニングツール情報を用いてアクセスノード１１０を設定又は変更するのに利用される。例えば、ＣＰＳ１３０は、専用のツール又はアプリケーションを用いてネットワーク情報を処理し、アクセスノード１１０の動作に適した無線パラメータなどのネットワーク設定パラメータを取得するのに利用されてもよい。ＤＨＣＰサーバ１４０は、アクセスノードの固有のアドレスを割り当てるよう構成され、ＯＡＭ（Ｏｐｅｒａｔｉｏｎｓ，Ａｄｍｉｎｉｓｔｒａｔｉｏｎ，ａｎｄ  Ｍａｉｎｔｅｎａｎｃｅ）ネットワーク内のＮＡＳ１５０と、アクセスネットワーク１００内のセキュリティゲートウェイ（ＳＥＧ）などの他のネットワーク装置との接続に関する複数の追加的なネットワーク情報を配信する。従って、アクセスノード１１０は、割り当てられたアドレスを用いて初期的な接続を確立する。ＮＡＳ１５０は、アクセスノード１１０の初期的な又は標準的な設定を含むネットワーク情報を有する。さらに、ＮＡＳ１５０は、アクセスネットワーク１００の各種コンポーネント又は装置の動作又はパフォーマンスに関する統計を含むオペレーションマネージメント（ＯＭ）情報を有してもよい。ＮＥＭ１６０は、ノーテルの自己最適化ネットワーク（ＳＯＮ）最適化アプリケーションなどの少なくとも１つの最適化アプリケーションを提供してもよい。最適化アプリケーションは、プラニング、先進的なネットワークモニタリング、フォルト検出、報告及びワークフロー自動化のための最適化アプリケーションを含む複数の最適化及び設定アプリケーションを有してもよい。ＳＤＳ１７０は、アクセスノード１１０を含む他のコンポーネントにおいてソフトウェアをダウンロード及びアップロードするのに利用可能な中央ソフトウェアロードレポジトリであってもよい。マネージメントＰＣ１８０は、アクセスノードに接続され、アクセスノード１１０を含む他のコンポーネントの少なくとも一部にアクセスするためのウェブブラウザツールを提供するものであってもよい。
【００１６】
アクセスノード１１０は、残りのコンポーネントの一部と次に通信する上述したコンポーネントの少なくとも一部と直接的又は間接的に通信してもよい。一実施例では、アクセスノード１１０は、ＶＬＡＮなどの周知のトランスポートネットワークを介し少なくとも一部の又はすべての上記コンポーネントと接続されてもよい。さらに、上記コンポーネントはそれぞれ、当該コンポーネントの機能を提供する独立したサーバ上に配置されてもよい。あるいは、上記コンポーネントの少なくとも一部は、各コンポーネントの合成された機能を提供可能な単一のサーバに組み合わせられてもよい。
【００１７】
図２は、本開示によるタッチレス導入方法２００の一実施例を示す。タッチレス導入方法２００は、実質的な手作業による設定なしに自動的にネットワークにＢＴＳ又は他の何れかのアクセスノード１１０を導入するため、アクセスネットワーク１００などのネットワークにおいて実現される。ＢＴＳなどのアクセスノード１１０は、必要な設定情報を有するコンポーネント、自動的な導入処理の少なくとも一部を処理するよう構成されるコンポーネント又はその両方を含む残りのネットワークコンポーネントの少なくとも一部に接続される。また、アクセスノード１１０の自動的な導入は、各種コンポーネントの間の機能の組み合わせの結果として実現されてもよい。
【００１８】
具体的には、タッチレス導入方法２００はまず、アクセスノード１１０について初期的なネットワーク接続を確立する。アクセスノード１１０には、アクセスノードの一意的な識別子（ＩＤ）とセキュリティアイデンティティなどの工場で予め設定された情報の一部又はすべてが挿入されていてもよい。一実施例では、ブロック２０１において、タッチレス導入方法２００は、インターネットプロトコル（ＩＰ）アドレスなどのアクセスノード１１０について割り当てられたネットワークアドレスを要求する。例えば、アクセスノード１１０は、ＶＬＡＮなどのネットワークに接続又はプラグされ、ＶＬＡＮを介しＩＰアドレスのリクエストをＤＨＣＰサーバ１４０に送信する。このリクエストは、工場で設定されたベンダクラス識別子などの認証情報又は秘密を有してもよい。タッチレス導入方法２００は、ブロック２０２に移行し、ＤＨＣＰサーバ１４０がＩＰアドレスの割当て及び他のネットワーク接続情報の配布について利用可能であるか確認する。タッチレス導入方法２００は、ＤＨＣＰサービスが利用可能である場合、ブロック２０４に移行する。そうでない場合、タッチレス導入方法２００は、ブロック２０３に移行し、マネージメントＰＣ１８０を介しさらなる指示をクエリ又はリクエストする。ブロック２０４において、タッチレス導入方法２００は、ＤＨＣＰサーバ１４０により割り当てられたＩＰアドレスを受信した後にＮＡＳ１５０にアクセス又は接続し、ブロック２０５に移行する。例えば、ＤＨＣＰサーバ１４０は、アクセスノード１１０からＩＰアドレスに対するリクエストを受信し、認証情報に基づきアクセスノード１１０を認証し、ＩＰアドレスプールからのＩＰアドレスをアクセスノード１１０に割当て、ＩＰアドレスをアクセスノード１１０に送信する。ＤＨＣＰサーバ１４０はまた、ＮＡＳ１５０のＩＰアドレス、ＮＡＳ１５０のＦＱＤＮ（Ｆｕｌｌｙ  Ｑｕａｌｉｆｉｅｄ  Ｄｏｍａｉｎ  Ｎａｍｅ）、ＳＥＧのＩＰアドレス又はＳＥＧのＦＱＤＮなどのネットワーク情報の一部又はすべてを送信する。一実施例では、ＤＨＣＰレスポンスは、割り当てられたＩＰアドレスを含み、それのベンダ固有の情報フィールド又はオプションフィールドにネットワーク情報を含むようにしてもよい。あるいは、ブロック２０３において、ＤＨＣＰサービスが利用可能でないとき、アクセスノード１１０は、後述されるように、手作業によるフィードバックを要求するマネージメントＰＣ１８０からのネットワーク接続情報をリクエスト又は促す。その後、タッチレス導入方法２００はブロック２０７に移行する。
【００１９】
次に、タッチレス導入方法２００は、初期的なスタートアップ設定を開始する。ブロック２０５において、タッチレス導入方法２００は、自動的（タッチレスなど）又は手動の初期的なスタートアップ動作が所望又はリクエストされているか確認する。例えば、タッチレス導入方法２００は、初期的なスタートアップ動作を決定するため、ストップポイントプロファイルを取得してもよい。ストップポイントプロファイルは、少なくとも１つのストップポイントを有し、ＮＡＳ１５０に格納されてもよい。タッチレス導入方法２００は、タッチレス動作が決定された場合、ブロック２０８に移行する。そうでない場合、タッチレス導入方法２００はブロック２０６に移行する。ブロック２０６において、タッチレス導入方法２００は、ウェブインタフェースを用いて、ワンタッチマニュアル上書き導入処理などの限定的な程度の手作業による導入動作を提供するようにしてもよい。他の実施例では、ウェブインタフェースは、何れかのＡＳＣＩＩベースの文字列、パスワード、ハードウェアシリアルナンバーなどの一意的なＩＤを入力するための手段を提供する他の何れかのインタフェースにより置換されてもよい。タッチレス導入方法２００は、その後にブロック２０７に移行し、一意的なＩＤがユーザ入力により取得される。その後、タッチレス導入方法２００はブロック２０９に移行する。
【００２０】
ブロック２０８において、タッチレス導入方法２００は、アクセスノード１１０と近傍又は最も近い近傍とをマッチさせるマッチキーが利用可能であるか、又は“シード”又はデフォルト設定が利用可能であるか確認する。例えば、タッチレス導入方法２００は、一意的なＩＤ、作業オーダ情報（オーダ番号、日付など）、ハードウェアタイプ、ＧＰＳ（Ｇｌｏｂａｌ  Ｐｏｓｉｔｉｏｎｉｎｇ  Ｓｙｓｔｅｍ）位置及び地理的位置（ストリートアドレスなど）を含む、ＮＡＳ１５０に格納されているマッチキー情報を取得する。タッチレス導入方法２００は、マッチキーが検出されると、ブロック２０９に移行する。そうでない場合、タッチレス導入方法２００はブロック２１０に移行する。ブロック２０９において、タッチレス導入方法２００は、アクセスノード１１０、ＣＰＳ１３０又はＮＥＭ１６０においてローカルにマッチアルゴリズムを利用して、アクセスノード１１０に適した又は最適化された設定を取得するため、ＮＡＳ１５０などから利用可能なマッチキーを処理する。一実施例では、設定データはＮＥＭのＩＰアドレスを含むものであってもよい。タッチレス導入方法２００は、ブロック２１１に移行し、アクセスノード１１０のスタートアップ設定がＮＡＳ１５０から取得される。あるいは、ブロック２１０において、タッチレス導入方法２００は、デフォルト選択を用いてアクセスノード１１０の設定を取得してもよい。例えば、ＮＡＳ１５０から取得されるシード設定が、アクセスノード１１０について選択されてもよい。
【００２１】
次に、タッチレス導入方法２００は現場に固有の変更を開始する。ブロック２１２において、タッチレス導入方法２００は、ＮＥＭ１６０とＣＰＳ１３０とを用いて現場に固有の情報を修正する。例えば、アクセスノード１１０は、上記キー情報をＮＥＭ１６０に送信し、ＮＥＭ１６０は、プラニングツール情報から一意的なアクセスノード１１０のＩＤをＣＰＳ１３０を用いて決定する。ＮＥＮ１６０とＣＰＳ１３０とは、無線パラメータ、ＲＡＮ（Ｒａｄｉｏ  Ａｃｃｅｓｓ  Ｎｅｔｗｏｒｋ）情報、ネットワークの各アクセスノード１１０に係る近傍リスト情報、他の情報又はこれらの組み合わせを自動的に生成する。例えば、無線パラメータは、周波数、送信電力、ケーブリング情報及びアンテナ情報を含むものであってもよい。このようなパラメータ及び情報は、適切な処理を実行するようアクセスノード１１０を設定するのに利用される。タッチレス導入方法２００は、その後にブロック２１３に移行し、アクセスノード１１０は、例えば、新たな又はアップデートされたパラメータ値又は情報により自らのソフトウェアを更新するためのソフトウェアパッチをＳＤＳなどからダウンロードすることによって、上記情報及びパラメータをダウンロードしてもよい。一実施例では、アクセスノード１１０は、ＳＤＳ又はネットワークを介しソフトウェアパッチを取得又はダウンロードしてもよい。例えば、アクセスノード１１０は、それの新たなＯＡＭ及びＲＡＮネットワーク割当て又は設定により再スタート又はリブートされてもよい。さらに、一部の実施例では、アクセスノード１１０は自動的にリブート又は再スタートするよう構成されてもよい。
【００２２】
次に、タッチレス導入方法２００は、ＮＥＭマネージメントを開始する。ブロック２１４において、アクセスノード１１０はＮＥＭ１６０により認証される。例えば、アクセスノード１１０は、それの秘密をＮＥＭ１６０又はＣＰＳ１３０に送信する。タッチレス導入方法２００は、その後にブロック２１５に移行し、ＮＥＭ１６０が監視及び管理することなくアクセスノード１１０を登録する間、ＮＥＭ１６０を待機する。最後にブロック２１６において、タッチレス導入方法２００は、ＮＥＭ１６０がアクセスノード１１０からインベントリ情報を収集するのを待機し、自らのインベントリを更新し、ネットワークとアクセスノード１１０との通信を管理することを開始する。
【００２３】
図３は、本開示によるタッチレス導入通信３００の一実施例を示す。タッチレス導入通信３００は、ＥＮＢなどのＢＴＳであるアクセスノード１１０に実質的に自動的な設定を提供するため、上述される各種コンポーネントの間で確立される。実質的に自動的な設定は、アクセスノード１１０をネットワークにプラグし、複数のネットワークサーバと通信し、自動的な設定処理を完了させるため、サーバの１つからの情報が必要なときは何時でもネットワークの中央レポジトリにアクセスすることからなる。
【００２４】
具体的には、タッチレス導入通信３００は、アクセスノード１１０の初期的なネットワーク接続のための通信を有する。このため、アクセスノード１１０は、例えば、アクセスノード１１０をＶＬＡＮなどのネットワークにプラグし、アクセスノード１１０をブートすると、ＯＡＭ  ＤＨＣＰディスカバリメッセージ３０１などのアドレスリクエストをＤＨＣＰサーバ１４０に送信する。ＯＡＭ  ＤＨＣＰディスカバリメッセージ３０１は、ＤＨＣＰサーバ１４０においてアクセスノード１１０を認証するのに利用される一意的なＩＤ又はベンダクラス識別子などのＥＮＢアイデンティティ情報の一部又はすべてを有する。ＤＨＣＰサーバ１４０は、割り当てたアドレスをアクセスノード１１０に返送する。例えば、ＤＨＣＰサーバ１４０は、割り当てたＩＰアドレスをアクセスノード１１０に通知するため、ＮＡＳ（Ｎｅｔｗｏｒｋ  Ａｃｃｅｓｓ  Ｓｅｒｖｅｒ）ＩＰアドレスなどのネットワーク接続情報を有するＯＡＭ  ＤＨＣＰオファーメッセージ３０２を送信してもよい。アクセスノード１１０は、通知されたアドレスをリクエストするため、ＯＡＭ  ＤＨＣＰリクエストメッセージ３０３により応答する。ＤＨＣＰサーバ１４０は、アクセスノード１１０に割り当てられたＩＰと、ＮＡＳ  ＩＰアドレスなどのネットワーク接続情報とを有するＯＡＭ  ＤＨＣＰアクノリッジメントメッセージ３０４を送信する。
【００２５】
さらに、タッチレス導入通信３００は、初期的なスタートアップ設定と、アクセスノード１１０及び現場に固有の修正のための通信を含む。アクセスノード１１０は、例えば、メッセージ３０５を送信することによってＮＡＳ１５０との接続を開始する。さらに、一部の実施例では、この接続は、セキュアシェル（ｓｓｈ）又はインターネットプロトコルセキュリティ（ＩＰｓｅｃ）などのセキュアネットワークプロトコルを用いて開始される。メッセージ３０５は、割り当てられたＩＰアドレスと認証キーなどのＥＮＢの秘密を有する。アクセスノード１１０とＮＡＳ１５０との間の接続が確立されると、アクセスノード１１０は、例えば、リクエストメッセージ３０６をＮＡＳ１５０に送信することによって、ＮＡＳ１５０からストップポイントプロファイルを取得する。さらに、アクセスノード１１０は、例えば、それ自体のＧＰＳ座標を含むメッセージ３０７をウェブインタフェースから受信することによって、ＧＰＳ座標又は一意的な識別子（ＩＤなど）を取得する。次に、アクセスノード１１０は、例えば、それ自体のＧＰＳ座標又は一意的な識別子を含むリクエストメッセージ３０８をＮＡＳ１５０に送信することによって、ＮＡＳ１５０からマッチキー又はベストマッチキーを取得する。アクセスノード１１０は、マッチキー又はベストマッチキーに係る設定パラメータセットをＮＡＳ１５０からダウンロードする。
【００２６】
設定パラメータのダウンロードが終了すると、上述されるように、アクセスノード１１０は、ｓｓｈ又はＩＰｓｅｃを用いて送信されるリクエストメッセージ３０９をＮＥＭ１６０に送信することによって、ＮＥＭ１６０から現場に固有の修正をクエリする。このリクエストメッセージは、ＥＮＢの秘密とＧＰＳ位置とを有する。ＮＥＭ１６０は、関連する無線パラメータ、ＲＡＮ情報又は近傍リスト情報など、アクセスノード１１０の現場に固有の情報を取得するためＣＰＳ１３０に通知する。例えば、ＮＥＭ１６０は、このような情報を取得するためのリクエストメッセージをＣＰＳ１３０に送信する。次に、ＣＰＳ１３０は、現場に固有の情報を有する通知メッセージ３１１をアクセスノード１１０に送信することにより応答する。あるいは、ＣＰＳ１３０は、例えば、このような情報を含むメッセージをＮＡＳ１５０に送信することによって、ＮＡＳ１５０に現場に固有の情報を格納することによって応答する。アクセスノード１１０は、その後、例えば、リクエストメッセージ３１３を用いて、ＮＡＳ１５０に通知することにより情報を取得する。その後、アクセスノード１１０は、例えば、アップデートリクエストメッセージ３１４をＳＤＳ１７０に送信することによって、処理用の何れかのプロダクトソフトウェアをリロード又はアップデートする。アクセスノード１１０は、その後、３１５においてダウンロードされるアップデートパッチ又はソフトウェアダウンロードを含むアップデートを受信する。次に、アクセスノード１１０は、例えば、ＯＡＭ  ＤＨＣＰリリースメッセージ３１６をＤＨＣＰサーバ１４０に送信することによって、割り当てられたＩＰアドレスをリリースする。ＩＰアドレスをリリースした後、アクセスノード１１０はソフトウェアアップグレード３１７を終了し、リブートする。
【００２７】
さらに、タッチレス導入通信３００は、ＮＥＭ１６０の管理のための通信を有する。アクセスノード１１０は、例えば、それの秘密を含む登録メッセージ３１８をＮＥＭ１６０に送信することによって、管理のためにＮＥＭ１６０に登録される。これに対して、ＮＥＭ１６０は、アクセスノード１１０アクセスノード１１０を登録し、例えば、メッセージ３１９などを用いて、アクセスノード１１０と更新されたインベントリ情報を交換する。最後に、タッチレス導入通信３００は、例えば、バックアップメッセージ３２０を用いて、設定バックアップをアクセスノード１１０からＮＡＳ１５０に送信することを含むバックアップ通信を有する。
【００２８】
アクセスネットワーク１００のコンポーネントなど、上述したシステムコンポーネントの少なくとも一部は、必要なワークロードを処理するのに十分な処理パワー、メモリリソース及びネットワークスループット能力を備えたコンピュータ又はネットワークコンポーネントなどの何れかの汎用ネットワークコンポーネント上で実現されてもよい。図４は、ここで開示されるコンポーネントの１以上の実施例を実現するのに適した典型的な汎用ネットワークコンポーネント４００を示す。ネットワークコンポーネント４００は、セカンダリストレージ４２０、ＲＯＭ（Ｒｅａｄ  Ｏｎｌｙ  Ｍｅｍｏｒｙ）４３０、ＲＡＭ（Ｒａｎｄｏｍ  Ａｃｃｅｓｓ  Ｍｅｍｏｒｙ）４４０、Ｉ／Ｏデバイス４５０及びネットワーク接続装置４６０を含む記憶装置と通信可能な中央プロセッサユニット又はＣＰＵと呼ばれるプロセッサ４１０を有する。プロセッサ４１０は、１以上のＣＰＵチップとして実現されてもよく、又は１以上のＡＳＩＣの一部であってもよい。
【００２９】
セカンダリストレージ４２０は、典型的には、１以上のディスクドライブ又はテープ装置から構成され、ＲＡＭ４４０がすべてのワーキングデータを保持するのに十分大きなものでない場合には、オーバフローデータストレージ装置として及びデータの不揮発性ストレージのために用いられる。セカンダリストレージ４２０は、実行用のプログラムが選択されると、ＲＡＭ４４０にロードされるプログラムを格納するのに利用される。ＲＯＭ４５０は、プログラム実行中に読み込まれる命令及びデータを格納するのに用いられる。ＲＯＭ４５０は、セカンダリストレージ４２０のより大きなメモリ容量に対して典型的には小さなメモリ容量しか有さない不揮発性記憶装置である。ＲＡＭ４４０は、揮発性データ及び命令を格納するのに利用される。ＲＯＭ４３０とＲＡＭ４４０との双方へのアクセスは、典型的には、セカンダリストレージ４２０より高速である。
【００３０】
さらに、ここに記載されるシステムコンポーネントの少なくとも一部は、少なくとも１つのＦＰＧＡ及び／又はＡＳＩＣを用いて実現されてもよい。例えば、システムコンポーネントの少なくとも一部は、マイクロプロセッサのブロックベースメソッドを用いる代わりに、１以上のＦＰＧＡにおいてポイント毎のメソッドを用いて実現されてもよい。他の実施例では、システムコンポーネントの少なくとも一部は、内部に一体化されたＣＰＵ又は外部のＣＰＵチップを用いて実現されてもよい。
【００３１】
本発明の好適な実施例が図示及び説明されたが、本発明の趣旨及び教示から逸脱することなく、当業者にその変更は可能であろう。ここに記載される実施例は単なる一例であって、限定的なものでない。ここに開示される本発明の多数の変形及び改良が可能であり、本発明の範囲内に属する。多数の範囲又は限定が明示的に説明される場合、このような明示的な範囲又は限定は、同様の大きさの繰り返しの範囲又は限定がその範囲又は限定の範囲内に属することを含むと理解されるべきである（例えば、約１〜１０は、２，３，４などを含み、０．１０より大きいとは、０．１１，０．１２，０．１３などを含むなどである）。請求項の任意の要素に関する“任意的”という用語の使用は、当該主題が必要でないことを意味するものである。有する、含むなどのより広範な用語の使用は、構成される、実質的に構成されるなどのより狭い用語のサポートを提供すると理解されるべきである。
【００３２】
従って、保護範囲は上述した記載によって限定されず、以下の請求項によってのみ限定されるものであり、請求項の主題のすべての均等を含む。各請求項は、本発明の実施例として明細書に含まれている。従って、これらの請求項はさらなる記載であり、本発明の好適な実施例への追加である。関連技術の説明における参照、特に本願の優先日後の公開日を有する参照の記載は、本発明に対する先行技術であることを自認したものでない。ここに引用されるすべての特許、特許出願及び刊行物の開示は、それらがここに与えられたものを補完する一例となる手続き上又は他の詳細を提供する程度まで参照することによりここに含まれる。
【図１】
2011515921.tif 000003
【図２】
2011515921.tif 000004
【図３】
2011515921.tif 000005
【図４】
2011515921.tif 000006
【国際調査報告】
2011515921.tif 000007
2011515921.tif 000008
2011515921.tif 000009